Podtech/llm-jp-corpus-v4-ja_patent huggingface dataset:
(57)【要約】【課題】      不使用時の複数の衣類用ハンガー保管はタンスやラックのバー等にぶらさげるか、ケース等に収納するしかないという不都合を解決すること。【解決手段】  重ねた複数の衣類用ハンガーの肩部分（７）（８）を、クリップの開閉機能を設けた保持具ですっきりと束ね、また保持具の支持脚によって複数のハンガーを床等に自立立脚の状態で保管することによりこの課題を解決する。【選択図】    図１
2006230984.tif 000002
【特許請求の範囲】
【請求項１】
衣類用ハンガーの湾曲部分（７）を含む肩部分（８）を包括保持することを特徴とする衣類用ハンガー保管保持具。
【請求項２】
開閉機能を設けたことを特徴とする請求項１記載の衣類用ハンガー保管保持具。
【請求項３】
支持脚を設けたことを特徴とする請求項１記載の衣類用ハンガー保管保持具。
【発明の詳細な説明】
【技術分野】
【０００１】  本発明は、不使用時の衣類用ハンガーの保管に関するものである。
【背景技術】
【０００２】  従来、不使用時の衣類用ハンガーの保管については、ハンガーのフックを利用してハンガーラックや衣類タンス内・物干し等のバーにぶら下げておくか、ハンガーを納められる適当な大きさの容器等に保管されている。この例として、特許文献１や非特許文献１に開示されているものがある。
【特許文献１】  特開２０００−３１７１９７号公報
【非特許文献１】  セシール  ハンガーラック  ｗｗｗ．ｃｅｃｉｌｅ．ｃｏ．ｊｐ
【発明の開示】
【発明が解決しようとする課題】
【０００３】  しかしながら、ラックやタンス内での保管は不足しがちな収納スペースに無駄が生じてしまい、収納袋やケース保管においては、収納容器自体が使用・不使用時に関わらず常時一定のスペースを要する上、ケース内でハンガーどうしが絡み合うことで、ハンガーの出し入れが面倒になる。【０００４】  また、衣類用針金ハンガー等を洗濯物干し用として使用している場合、洗濯物を取り込む度にタンス内や屋外の物干しのバー等にぶら下げたり、ケース等内に収納するのはわずらわしいが、絡みやすい特有の形状をしたハンガーは上述以外の保管方法はなく、部屋の隅に山積みになりがちであるため煩雑である。本発明は以上のような不都合を解決することを課題とする。
【課題を解決するための手段】
【０００５】  この課題を解決するための請求項１の発明は、二個一対の本体包括部材の内・外周が噛合することで成される中空・筒状・上下開口とした本体の一部に複数の衣類用ハンガーの湾曲部分（７）を含むハンガーの肩部分（８）を包括保持できる湾曲部を設けたことを特徴とする。【０００６】  請求項２は、ハンガーの湾曲部（７）を含む肩部分（８）を包括部本体内空間（１０）に保持させるため、二個一対の本体包括部を開口させ、内空間（１０）にハンガー（７）・（８）をはめ込み、包括部材の内・外周が筒状に噛合する閉口状態を維持することにより、包括保持されたハンガーの脱落を防ぐことができる開閉機能を設けたことを特徴とする。【０００７】  請求項３は、保持具使用時、床等の平面に接する本体包括部の一部・グリップの一部・延設された支持脚のいずれかを自立可能な支持脚とすることにより、ハンガーを包括保持した状態で床等にて自立保管しておくことが可能である。
【発明の効果】
【０００８】  本発明により、収納場所が限定されがちで煩雑になりやすい不使用時の複数の衣類用ハンガーを、ハンガーサイズよりコンパクトで安価である保持具によって手軽にすっきりと束ねた状態でまとめることができ、また支持脚を設けることで床や棚等のあらゆる平面に最小占有スペースにて自立させ保管することができる。また持ち運びにも便利である。
【発明を実施するための最良の形態】
【０００９】  図１は、中空・柱状・上下開口の本体部材を垂直に縦二分割することで成される二個一対の凹形状である本体包括部を複数のハンガー湾曲部分（７）を含む肩部分（８）を包括できるよう湾曲させ、包括部噛合口が平面に対し垂直に位置する保持具を手指にて開口した状態を示す前方斜視図である。【００１０】  図示の噛合口の内・外周は平坦状としているが、交差する波・櫛等でもよい。【００１１】  図示によると本体包括部は同型の凹形状としているが、一対の凹みは深さを違えたり、また一片のみ凹みを設け、一片は平坦な蓋としてもよい。また図示では円柱状としているが、楕円・多角形等としてもよい。【００１２】  図３は、本体包括部内空間（１０）にハンガーの（７）・（８）をはめ込むため、各本体包括部より延設されたグリップ間に設けた重ね合うブラケットに渡された支軸により連結した二個一対のグリップを筒状とした包括本体を手指にて開口させ、包括部内空間（１０）にハンガー（７）・（８）をあてがい、グリップ間の支軸に通されたコイルバネ等の弾性体により閉じる方向に付勢させた閉口機能により、二個一対の本体包括部材の内・外周が筒状に噛合し維持されることで包括体内空間に保持された複数のハンガーが脱落せず、また手軽に着脱することが可能となる開閉機能部を示す平面図である。【００１３】  図示ではグリップ位置を本体湾曲部後方としているが、下部・上部・内側等いずれでもよい。【００１４】  また図３は、保持具使用時に床などの平面に自立する支持脚として、本体底部（４）、グリップ底部（５）、本体より延設された支持脚（６）を示す保持具の後方斜視図である。支持脚は上述のいずれかでもよく、また図示による支持脚（６）は本体より延設されているが、付けはずし可能としてもよい。【００１５】  保持されたハンガーが本体包括部内にてより安定保持するため包括部内壁全面、または一部にゴムやウレタン等の弾性体を設けてもよい。【００１６】  図５の図示では自立立脚の為ハンガーの左右に使用しているが、束ねる目的であれば片方だけの使用でもよい。
【図面の簡単な説明】
【００１７】
【図１】  本発明のグリップを手指により開口した状態を示す前方斜視図である。
【図２】  本発明の前方平面図である。
【図３】  本発明の開閉機能部を示す後方平面図である。
【図４】  本発明の上方平面図である。
【図５】  衣類用ハンガー湾曲部分（７）・ハンガー肩部分（８）を示す平面図である。
【図６】  本発明の使用状態を示す平面図である。
【図７】  本発明の使用状態を示す前方斜視図である。
【符号の説明】
【００１８】１      本体包括部
２      グリップ
３      開閉機能部
４      本体底部支持脚
５      グリップ底部支持脚
６      延設された支持脚
７      ハンガー湾曲部分
８      ハンガー肩部分
９      衣類用ハンガー
１０    本体包括部内空間
【図１】
2006230984.tif 000003
【図２】
2006230984.tif 000004
【図３】
2006230984.tif 000005
【図４】
2006230984.tif 000006
【図５】
2006230984.tif 000007
【図６】
2006230984.tif 000008
【図７】
2006230984.tif 000009
(57)【要約】【課題】  一般に利用されている自動開き機能を備えている雨傘に、車輌に乗車した状態で閉じることができる機能を持たせる。【解決手段】  中棒１に取付けられた制御ノブ１０を押すことによって開く、自動開き機能を備えている雨傘に、柄１１と一体となった、中棒１の中を上下する中空パイプ１３が取付けられ、片方の手で中棒１を固定した状態で柄１１を下方に引くことによって閉じることができることを特徴とする。【選択図】  図１
2006230985.tif 000002
【特許請求の範囲】
【請求項１】
中棒に取り付けられた制御ノブを押すことによって開く、自動開き機能を備えている雨傘に、柄と一体となった、中棒の中を上下する中空パイプが取り付けられ、片方の手で中棒を固定した状態で柄を下方に引くことによって閉じることが特徴となる伸縮傘。
【発明の詳細な説明】
【技術分野】
【０００１】本発明は日常利用されている雨傘に関する。
【背景技術】
【０００２】一般に利用されている雨傘は、制御ノブを押すことによって、その開き過程において手のいかなる助けなく開く、自動開き機能を備えている。その雨傘を用いて車輌の乗降を行った際、車輌から降りる場合は、乗車状態でドアを開け、外に傘を差し出し、制御ノブを押すことで傘が自動開き機能によって開き、比較的雨に濡れずに降車することができる。しかし車輌に乗り込む場合は、乗車状態では傘を閉じることが困難な為、一旦外で傘を閉じてから乗車せざるを得ないことから、その間雨に濡れてしまうという問題点があった。
【発明の開示】
【発明が解決しようとする課題】
【０００３】本発明の目的は、前記した問題点について、車輌に乗車した状態で傘を閉じることができる機能を持たせることで、比較的雨に濡れずに乗車することができるようにすることである。
【課題を解決するための手段】
【０００４】上記の目的を達成する本発明の伸縮傘は、中棒に取付けられた制御ノブを押すことによって開く、自動開き機能を備えている傘に、柄と一体となった、中棒の中を上下する中空パイプが取付けられ、片方の手で中棒を固定した状態で柄を下方に引くことによって閉じることができることを特徴とする。
【発明の効果】
【０００５】以上、説明したように、本発明によれば、制御ノブを押すことによって開く、自動開き機能を備えている雨傘に柄と一体となった、中棒の中を上下する中空パイプが取付けられ、片方の手で中棒を固定した状態で柄を下方に引くことによって閉じることが可能となり、雨天時に車輌に乗り込む際、乗車した状態で傘を閉じることができる為、比較的雨に濡れることなく車輌に乗車するのに極めて有効である。
【発明を実施するための最良の形態】
【０００６】以下、本発明の実施の形態を図面に基づき詳細に説明する。【０００７】以下、本発明の実施の形態を添付した図面に基づきより具体的に説明するが、本発明はこれに拘束されるものではなく、本発明の主旨の範囲内において自由に設計変更が可能である。【０００８】図２は本発明の基となる、一般に利用されている、制御ノブ１０を押すことによって、その開き過程において手のいかなる助けなく開く、自動開き機能を備えている雨傘の側面図。図１は本発明に係わる伸縮傘１８の一実施例の閉鎖中期状態での構成を示す側面図。図３はこの実施例の構成部分を拡大した側面図。図４、図５は図３の構成部分を分解した側面図である。【０００９】図１に示すように、本伸縮傘１８は一般に利用されている、制御ノブ１０を押すことによって、その開き過程において手のいかなる助けなく開く、自動開き機能を備えている雨傘の中棒１の中を上下する、柄１１と一体となった中空パイプ１３が取付けられている。【００１０】図３が示すように、柄１１と一体となった中空パイプ１３は伸縮ノブ１４によって中棒１と固定ができる。柄１１と一体となった中空パイプ１３と中棒１が固定される位置は、中棒１が中空パイプ１３と柄１１の付け根部分まで引き寄せた場所となる。【００１１】図１が示すように、伸縮傘１８を閉じる方法は２つあり、１つは背景技術の実施例で、中棒１を片方の手で固定した状態で、ろくろ７を下方に引き、長穴８をロック片９に引っ掛ける。もう１つは本発明の実施例で中棒１を片方の手で固定した状態で、柄１１に取付けられている伸縮ノブ１４を押すことによって、柄１１と一体となった中空パイプ１３の固定が解除され、その状態で柄１１を下方に引くことにより、中空パイプ１３に取付けられたフック片１７がロクロ７を引き下げる。更に柄１１を下方に引き、ろくろ７に開けられた長穴８をロック片９に引っ掛ける。【００１２】図４、５が示すように、フック片１７は中空パイプ１３に取付けられていて、柄１１を下方に引く際、ろくろ７を引き下げる働きを持つ為、中棒１の表面より突出している。よって中棒１には、中棒溝１５が設けられている。【００１３】図４，５が示すように、中空パイプ溝１６は、柄１１と一体となった中空パイプ１３を中棒１の中で上下させる際、中棒１に取付けられた制御ノブ１０との接触を回避する為に設けられている。中空パイプ溝１６は、中空パイプ１３の表裏両面に設けられている。
【図面の簡単な説明】
【００１４】
【図１】本発明に係わる伸縮傘の一実施例の閉鎖中期状態での構成を示す側面図である。
【図２】背景技術における雨傘の一例を示す側面図である。
【図３】図１の実施例の構成部分を拡大した側面図である。
【図４】図３の構成部分の中空パイプ側面図である。
【図５】図３の構成部分の中棒側面図である。
【符号の説明】
１・・・中棒
２・・・石突き
３・・・第１支持骨
４・・・第２支持骨
５・・・第３支持骨
６・・・スプリング
７・・・ろくろ
８・・・長穴
９・・・ロック片
１０・・・制御ノブ
１１・・・柄
１２・・・ストッパー
１３・・・中空パイプ
１４・・・伸縮ノブ
１５・・・中棒溝
１６・・・中空パイプ溝
１７・・・フック片
１８・・・伸縮傘
【図１】
2006230985.tif 000003
【図２】
2006230985.tif 000004
【図３】
2006230985.tif 000005
【図４】
2006230985.tif 000006
【図５】
2006230985.tif 000007
(57)【要約】【課題】  展示用スチロール系ソフトパネルを木枠ベニヤ貼りのパネルとように縁なしをを提供できるようにしたフレーム。【解決手段】成樹脂のヒ字状レールを設けパネルの四辺の角を４５度に切り取り側面を９０度曲げ、辺の中央で結合させたあとパネルを嵌合させることを特徴とする。  本発明は、以上の構成からなる【選択図】  図３
2006230986.tif 000002
【特許請求の範囲】
【請求項１】
展示用スチロール系ソフトパネルの角を保護して，前面から見えないようにしたフレーム。
【発明の詳細な説明】
【発明の詳細な説明】
【発明に関する技術分野】
【０００１】  この発明は、成樹脂のヒ字状レールにソフトパネルを嵌合するようにした。吊金具なしで壁面に展示できるフレームに関するものである。
【背景技術】
【０００２】  従来、ソフトパネル用のフレームにおいてはアルミや成樹脂でコの字状のもでソフトパネルの縁をカバーしただけであった。
【発明が解決しようとする課題】
【０００３】  そのために、次のような欠点があった。
（イ）縁なし画面のソフトパネル展示ができなかった。
（ロ）額がソフトパネルの表面にあり、その段差で表面をビニールなどで覆えなかった。
（ハ）壁面に展示するにも特別な吊下げ金具が必要であった。
本発明は、これらの欠点を解決するするためになされたものである。
【課題を解決するための手段】
【０００４】（イ）ヒ字状のレール（１）を設ける。
（ロ）（１）をソフトパネルの四辺の角を４５度に切り取り側面を９０度曲げる。
（ハ）（１）の辺の中央で結合する。
（ニ）そしてソフトパネルを（１）に嵌合する。
本発明は、以上の構成からなる。
【発明を実施するための最良の形態】
【０００５】  以下本発明の実施の形態について説明する。
（イ）ヒ字型のレール（１）をソフトパネルの四辺の角で縁（２）と底部（３）を４５度に切り取る。
（ロ）（１）の側面（５）を９０度曲げて額縁状にする。
（ハ）（１）の縁（２）にソフトパネルを嵌合する。
【発明の効果】
【０００６】  展示用スチロール系ソフトパネルの変形と湾曲を防ぎ、また表面にフレームが被っていないので、薄いビニールで表面を保護することができる。
木製の展示用パネルより軽く吊金具なしで壁面フック掛けることができる。
【図面の簡単な説明】
【０００７】
【図１】本発明の正面図
【図２】本発明の断面図
【図３】本発明の透視図
【図４】本発明の使用を示す説明図
【符号の説明】
【０００８】１  フラットフレーム
２  縁
３  底部
４  角
５  側面
６  スチロール系ソフトパネル
【図１】
2006230986.tif 000003
【図２】
2006230986.tif 000004
【図３】
2006230986.tif 000005
【図４】
2006230986.tif 000006
(57)【要約】【課題】      従来の使い捨て携帯歯みがき用品は、磨く為に必要な設備（水道・洗面台等）・性能・大きさ・実施までの準備等の面で、改善したい個所があった。【解決手段】磨き部をモップ状にすることで、歯間にも入り込みやすく、磨き部分の広面積化を実現した。素材は耐水性の汚れを吸着する効果のある不織布、又は紙を使用し、持ち手部を円柱状にする事で、指先で持ち手部をつまみ、回転させる事ができ、指先のみの低労力で効率よく汚れを絡め取るという作業を可能にした。そのため、実施するために通常必要であろう設備（水道・洗面台など）や実施前の準備（口腔洗浄剤など）も不必要となり、使用後も一般燃えるゴミとして処分できる。大きさは柄を無くす事により指先大以下とした。【選択図】    「図１」
2006230988.tif 000002
【特許請求の範囲】
【請求項１】
耐水性の汚れを吸着する効果のある不織布または紙などを用い、磨き部または歯との接触部をモップ状に形成している事を特徴とする使い捨て携帯歯磨きペーパー。
【発明の詳細な説明】
【技術分野】
【０００１】本発明は、外出先などで用いる使い捨て携帯歯磨き用品の形状に関する。
【背景技術】
【０００２】従来の使い捨て携帯歯磨き用品には、指にはめるブラシ形状、シート等による拭き取り式形状、通常の柄付き歯ブラシ形状がある。
【発明の開示】
【発明が解決しようとする課題】
【０００３】しかしながら、従来の技術によれば以下の様な課題が生じた。
（イ）浄する時に設備（水道・洗面台など）を要する事。
（ロ）拭き取るタイプの物でも拭き取り面が平面状であり、歯間部の汚れが取れ難い事。
（ハ）携帯するうえで、さらに小さいサイズが望ましい事。
（ニ）実施する前に、多少なりとも準備を要する事。【０００４】そこで、この発明は使用場所や設備を問わず、歯間部の汚れも落とせ、なおかつ指先大以下サイズの使い捨て携帯歯磨き用品を提供する事を課題とする。
【課題を解決するための手段】
【０００５】以上の課題を解決する為に、この発明は、耐水性の汚れを吸着する効果のある不織布または紙を用い、磨き部をモップ状に形成している事を特徴とする、小型の使い捨てモップ状歯磨きペーパーである。【０００６】（イ）の課題を解決する為に、この発明は、汚れを吸着しやすい素材で、磨き部（図１に示す１）をモップ状、持ち手部を円柱状（図１に示す２）に形成し、もち手部を指で回転させて、モップ面で汚れを絡め取る事により、水や口腔洗浄剤無しでも効果的に汚れを除去する事、つまり、場所や設備を問わず使用できることを可能にした。【０００７】（ロ）の課題を解決する為に、この発明は、磨き部（図１に示す１）をモップ状、持ち手部を円柱状（図１に示す２）に形成し、持ち手部を指で回転させることで、モップのひだが歯間部まで入り込み、容易に汚れを除去することを可能にした。【０００８】（ハ）の課題を解決する為に、この発明は、モップ状になった磨き部（図１に示す１）のすぐ後ろ（図１に示す２）を持ち手部とし、柄を無くすことで、指先大サイズを可能にした。【０００９】（ニ）の課題を解決する為に、上記の（イ）（ロ）（ハ）の機能を有することで、取り出すのみで実施する事を可能にした。
【発明の効果】
【０００９】この発明による効果は以下の事があげられる。
（１）使用するに至っての準備が特に無く（取り出す程度のみ）爪楊枝を使う感覚で場所を選ばず、即座に口元のエチケットが保たれる。
（２）磨き部をモップ状にすることで、磨き部の面積が広がり、効率よく汚れを除去できる。
（３）水が貴重な震災現場等でも歯磨きが低コストで使い捨てできる。
（４）持ち手部を円柱状にすることで、指先でモップ面を回転させる事ができ、汚れを絡め取ることができる。また、歯間部の汚れ除去も容易である。
（５）非常に小さく、バックの隙間にも適当な数の携帯が可能。
（６）モップ部のローリングにより、歯茎のマッサージ効果が得られる。
（７）使用後、普通に燃えるゴミとして処分できる。
【発明を実施するための最良の形態】
【００１０】この発明の一実施形態を、図１に示す。
全体の素材は、耐水性の汚れを吸着する効果のある不織布、又は紙であり、全体の約３分の２部を持ち手部とし、残りの約３分の１部を磨き部とする。持ち手部は円柱状で磨き部はモップ状にひだが多数に設けられ、先に向かって持ち手部から放射状に広がる。【００１１】「実施形態の効果」
この実施形態によれば、素材面では人体に低刺激・廃棄時環境に無害で、かつ低コストでの作成が可能である。磨き部をモップ状にすることで、歯間にも入り込みやすく、汚れを一度に広面積で除去する作用が得られる。又、持ち手部を円柱状にする事で、指先で持ち手部をつまみ、回転させる事ができ、指先のみの低労力で作業が可能である。さらに、ローリング効果により、歯茎のマッサージ効果も得られる。
【産業上の利用可能性】
【００１２】産業上の利用可能性は第０００９項でもあげているが、震災現場等の水が貴重とされる場所での救援物資に利用の可能性を見出せる。
【図面の簡単な説明】
【００１３】
【図１】この発明の一実施形態を示す斜視図である。
【図２】この発明の一実施形態を示す図１の反対方向からの斜視図である。
【符号の説明】
【００１４】Ａ    使い捨てモップ状歯磨きペーパー
１    モップ状磨き部    ２    持ち手部
【図１】
2006230988.tif 000003
【図２】
2006230988.tif 000004
(57)【要約】【課題】救急蘇生時、あるいは緊急手術時に施行される気管内挿管時に、気管内挿管チュ−ブのカフ上部に誤嚥により貯留する、貯留物を吸引可能なカフ上部吸引ル−メン付気管内挿管チュ−ブを提供する。【解決手段】カフ上部に吸引ル−メンと吸引開口部を有し、この吸引ル−メン５ａ、５ｂ、気道確保用ル−メン３とカフ膨張用小ル−メン４が、管状体肉厚部内の長軸方向に沿ってそれぞれ形設されているカフ上部吸引ル−メン付気管内挿管チュ−ブであり、気道確保用ル−メン３によって管状体が構成され、吸引ル−メン５ａ、５ｂ、カフ膨張用小ル−メン４は管状体の肉厚部に一体的に形設され、吸引開口部６ａ、６ｂはカフ上部の左右二カ所に刻設されているもの。【選択図】図１
2006230983.tif 000002
【特許請求の範囲】
【請求項１】
気管内挿管チュ−ブのカフ上部に、貯留物の吸引可能な吸引ル−メンと吸引開口部が、気管内挿管チュ−ブ肉厚部内に一体的に形設されたことを特徴とする力フ上部吸引ル−メン付気管内挿管チュ−ブ。
【請求項２】
前記吸引ル−メンが肉厚部内の左右二カ所に設けられたことによる、吸引能力の向上を特徴とするカフ上部吸引ル−メン付気管内挿管チュ−ブ。
【発明の詳細な説明】
【技術分野】
【０００１】  本発明は、救急蘇生時、あるいは全身麻酔時などの医療上患者の気道を確保して人工呼吸を行うために、気管に挿入される気管内挿管チュ−ブに関するものである。
【背景技術】
【０００２】  臨床医療の現場において、重症で意識のない患者の蘇生時、あるいは手術のための全身麻酔時には、気道を確保して人工呼吸を行うことが必要であり、その際に気管内挿管が行われる。
【特許文献１】特開２００１−５１６２５２号公報
【０００３】  気管内挿管による呼吸管理に用いられる気管内挿管チュ−ブの形状に関する従来技術を開示する先行文献として、特開２００１−５１６２５２号公報がある。この先行文献による従来技術については各文献に譲るが、ここでは、本願発明に近い構成からなるものについて図２に示すような従来例によって説明する。【０００４】  図２（ａ）に示すように、従来の気管内挿管チュ−ブの形状は気管内挿管チュ−ブの本体１の先端にカフ２が設けられたものであり、このカフ２は図２（ｂ）に示すように、チュ−ブ本体１の肉厚部内に設けられたカフ膨張用小ル−メン３を介して中空部を加圧又は減圧することによって、全体を適宜膨張ないし収縮させることが可能となっている。【０００５】  図２（ａ）の器具によれば、緊急でない待機手術前に、患者が絶飲食を行うなど胃内容物を減らす準備を行ってから施行される気管内挿管は、図３に示すように、嘔吐などにより、胃内容物が食道１２から気管内１１に流入する誤嚥の危険性が低く、通常この操作は安全に行われる。【０００６】  しかしながら、以上の技術によれば、救急蘇生時、あるいは腸閉塞患者や食事摂取後すぐに手術を受けなくてはならない患者など、胃内容が充満している患者の緊急手術時の気管内挿管時、もしくは挿管後に、胃内容物が食道１２から気管内１１に逆流し、気管内挿管チュ−ブ１のカフ２上部に貯留することがある。【０００７】  ところが、この気管内挿管チュ−ブのカフ２は図３のように、声帯１０を越えた、気管内１１に留置されるため、同部位まで、医療用に用いられる吸引用の嘴管を挿入して気管内挿管チュ−ブのカフ２上部の貯留物を吸引除去することは困難である。つまり挿管チュ−ブ１を抜管する際に、この貯留物が気管から肺の末梢に流入しないように吸引、除去することができない。【０００８】  従ってそのままカフ２を収縮させて挿管チュ−ブ１を抜管すると、カフ２上部の貯留物が気管内から肺の末梢に流入し、誤嚥性肺炎の病態を呈し、ときには致命的になる危険性がある。
【発明の開示】
【発明が解決しようとする課題】
【０００９】  本発明は、上記の問題を解決するために、カフ上部二カ所に吸引ル−メンと吸引開口部が、気管内挿管チュ−ブ肉厚部内に一体的に形設、使用されるカフ上部吸引ル−メン付気管内挿管チュ−ブを提供するものである。
【課題を解決するための手段】
【００１０】  そこで、第一発明は、気管内挿管チュ−ブのカフ上部に、貯留物の吸引可能な吸引ル−メンと吸引開口部が、気管内挿管チュ−ブ肉厚部内に一体的に形設されたことを特徴とする気管内挿管チュ−ブである。
また、第二発明は、カフ上部の左右二カ所に吸引ル−メンが設けられたことにより、吸引能力が向上したことを特徴とする気管内挿管チュ−ブである。
【発明の効果】
【００１１】  第一発明、または第二発明によれば、気管内挿管チュ−ブのカフ上部に、貯留物の吸引可能な吸引ル−メンと吸引開口部を設けたので、カフを収縮させて挿管チュ−ブを抜管する前にこの貯留物を吸引することができ、貯留物の気管から肺の末梢への流入と、それを原因とする誤嚥性肺炎の病態を回避することができる。
【発明を実施するための最良の形態】
【００１２】  本発明の実施形態を、図面に基づいて説明する。
図１は本発明によるカフ上部吸引ル−メン付気管内挿管チュ−ブの模式構成説明図であり、図１（ａ）は斜視外観図、（ｂ）はＡ−Ａ断面図である。図１（ａ）において、吸引ル−メン５ａ、５ｂを除くチュ−ブ１、カフ２、気道確保用ル−メン３とカフ膨張用小ル−メン４は従来例図２（ａ）で説明した部品と同様の構造、機能を有する部品であるから、それらの説明は省略する。【００１３】  本実施の形態におけるチュ−ブ１は、図２（ａ）と同様に、やや湾曲した管腔体である。そしてこのチュ−ブ１の肉厚部内には、気道確保用ル−メン３とカフ膨張用小ル−メン４、吸引ル−メン５ａ、５ｂが一体的に形設されている。【００１４】  そして、カフ２の上部の所定部位に吸引開口部６ａ、６ｂが刻設されて、吸引ル−メン５ａ、５ｂの端部がチュ−ブの外側部に露出するようになっている。さらにこの吸引開口部６ａ、６ｂから吸引ル−メン５ａ、５ｂを経由して、吸引管接続部７ａ、７ｂとなり、同部位に吸引管を接続することにより、カフ２の上部の貯留物を吸引することができる。【００１５】「実施形態の効果」
この実施形態によれば、吸引開口部６ａ、６ｂ、吸引ル−メン５ａ、５ｂ、吸引管接続部７ａ、７ｂの働きで、カフ２の上部の貯留物を吸引することができる。したがって、気道確保時に流入したカフ２の上部の貯留物が除去され、誤嚥性肺炎など致命的な症状を回避できる。
【図面の簡単な説明】
【００１６】
【図１】本発明の一実施形態を示す斜視図である。図１（ａ）は斜視外観図、（ｂ）はＡ−Ａ断面図である。
【図２】従来技術を示す斜視図である。図２（ａ）は斜視外観図、（ｂ）はＡ−Ａ断面図である。
【図３】従来技術のカフ付き気管内挿管チュ−ブが気道内に留置された咽頭喉頭部の側面図である。
【符号の説明】
【００１７】１  チュ−ブ                ２  カフ
３  気道確保用ル−メン      ４  カフ膨張用小ル−メン
５ａ、５ｂ  吸引ル−メン    ６ａ、６ｂ  吸引開口部
７ａ、７ｂ  吸引管接続部    ８  カフ膨張管接続部
９  喉頭蓋                  １０  声帯
１１  気管                  １２  食道
【図１】
2006230983.tif 000003
【図２】
2006230983.tif 000004
【図３】
2006230983.tif 000005
(57)【要約】      （修正有）【課題】左右回転及び逆回転するボールを容易に打つことのできる、パークゴルフ用クラブを提供する。【解決手段】  ヘッド部の構えて手前側の側面４と向かい側の側面５及び上部面６の形状及びフェイス面１を角型とする。（ア）左回転・左カーブするボールを打つ場合は、ヘッド部フェイス面の手前側の角に近い部分で、ボールの右側部分を打ち、ボールに左回転をあたえる。（イ）右回転・右カーブするボールを打つ場合は、ヘッド部フェイス面の向かい側の角に近い部分で、ボールの左側部分を打ち、ボールに右回転をあたえる。（ウ）逆回転（バックスピン）するボールを打つ場合は、ヘッド部フェイス面の上部側の角に近い部分で、ボールの下側部分を打ち、ボールに逆回転をあたえる。【選択図】図１
2006230990.tif 000002
【特許請求の範囲】
【請求項１】
パークゴルフ用クラブのヘッド部の形状・フェイス面を角型にしたクラブ
【発明の詳細な説明】
【発明の詳細な説明】
【発明に属する技術分野】
【０００１】  この発明は、パークゴルフ用クラブのヘッド部の両側面（構えて手前側と向かい側の側面）及び上部面の形状・フェイス面を角型とし、左右回転及び逆回転するボールを打つことを容易にする、パークゴルフ用クラブである。
【背景技術】
【０００２】  現在使用されている、パークゴルフ用クラブの大部分ヘッド部の形状・フェイス面は、楕円型（タマゴ型）であり、左右回転及び逆回転するボールを打つことは、殆どできない。
【発明が解決しようとする課題】
【０００３】  容易に左回転（左カーブ）・右回転（右カーブ）及び逆回転（バックスピン）するボールを打つことができないか。
【課題を解決するための手段】
【０００４】  パークゴルフ用クラブのヘッド部の両側面（構えて手前側の側面と向かい側の側面）及び上部面の形状・フェイス面を角型とする。
【発明を実施するための最良の形態】
【０００５】  次のようになります。
（ア）  左回転・左カーブするボールを打つ場合は、
ヘッド部フェイス面の手前側の角に近い部分で、ボールの右側部分を打ち、ボールに左回転をあたえる。
（イ）  右回転・右カーブするボールを打つ場合は、
ヘッド部フェイス面の向かい側の角に近い部分で、ボールの左側部分を打ち、ボールに右回転をあたえる。
（ウ）  逆回転（バックスピン）するボールを打つ場合は、
ヘッド部フェイス面の上部側の角に近い部分で、ボールの下側部分を打ち、ボールに逆回転をあたえる。
【発明の効果】
【０００６】  左回転・左カーブするボール及び右回転・右カーブするボール並びに逆回転（バックスピン）するボールなど、色々に回転・カーブするボールを打つことが可能となり、技術・戦術の範囲が拡大し、パークゴルフのおもしろさ及び楽しさが著しく増大する。
【図面の簡単な説明】
【図１】  本発明正面図（ヘット部  フェイス面側より）
【図２】  本発明側面図（ヘット部  シャフト側より）
【符号の説明】
▲１▼は、フェイス面
▲２▼は、ソール
▲３▼は、シャフト
▲４▼は、手前側の側面
▲５▼は、向かい側の側面
▲６▼は、上部面
▲７▼は、左回転・左カーブするボールを打つ場合のフェイス部分
▲８▼は、右回転・右カーブするボールを打つ場合のフェイス部分
▲９▼は、逆回転（バックスピン）するボールを打つ場合のフェイス部分
【図１】
2006230990.tif 000003
【図２】
2006230990.tif 000004
(57)【要約】【課題】  洗濯する製品の型崩れやしわを防止するための穴あき筒付き洗濯ネットを提供する。【解決手段】  洗濯機内で洗濯物がよじれることにより、型崩れが起きるし、脱水時にしわが出来て取れにくい。多数の穴の開いた筒に平面状のネットを取り付け、その上に洗濯する製品を広げて置き筒の幅に合わせて洗濯する製品とネットを一緒にたたむ。その状態で穴の開いた筒に巻きつけ最後に両端をしっかり留める。洗いから脱水までの間洗濯物がネットと共に筒に固定されているため、よじれることなく、型崩れもしわも防止出来る。筒には多数の穴を開けているため、筒に巻きつけた洗濯物の外側からも内側からも洗える。【選択図】  図１
2006230981.tif 000002
【特許請求の範囲】
【請求項１】
筒に多数の穴を開けた型崩れしわ防止用洗濯補助具。
【請求項２】
平面状のネットに請求項１の筒を取り付けた型崩れしわ防止用穴あき筒つき洗濯ネット。
【発明の詳細な説明】
【技術分野】
【０００１】  本発明は洗濯時の型崩れやしわを防止するために使用する多数の穴の開いた筒をつけた洗濯用ネットである。
【背景技術】
【０００２】  従来、型崩れしやすいニット製品などはクリーニングに出すとか、別に手洗いしなくてはならず、綿製品はしわが出来るのでアイロンをかけるなどしていた。
【発明の開示】
【発明が解決しようとする課題】
【０００３】  ニットなど型崩れしやすい製品は別に手洗いするか、クリーニングに出さなくてはならないし、綿製品などは脱水後に出来るしわが取れにくくアイロンがけが必要である。
本発明はその手間や経済的負担を軽減出来るようにするものである。
【課題を解決するための手段】
【０００４】洗濯機内で洗濯物がよじれる事により型崩れが起きるし、脱水時にしわが出来取れにくい。多数の穴の開いた筒に平面状のネットを取り付けその上に洗濯する物を広げて置き、筒の幅に合わせて洗濯する製品とネットを一緒にたたむ。その状態で穴の開いた筒に巻きつけ最後に両端をしっかり留める。洗いから脱水までの間、洗濯物がネットと共に筒に固定されているためよじれることなく型崩れもしわも防止できる。
筒には多数の穴を開けているため筒に巻きつけた洗濯物の外側からも内側からも洗える。
【発明の効果】
【０００５】  本発明は筒に多数の穴が開いているため、巻きつけた洗濯物の外側からも内側からも水の流れが出来よく洗える。洗濯機内でも洗濯物が穴の開いた筒に固定されているためよじれなどもなく型崩れやしわを防止できニット製品も綿製品もすっきり洗濯できる。
【発明を実施するための最良の形態】
【０００６】  以下、本発明の実施の形態を説明する。
（イ）耐久性のあるプラスチックなどの適性材料で筒を作る。
（ロ）筒に多数の穴をあける。
（ハ）筒を筒の幅の約倍くらいの平面状のネットの端の中央に取り付ける。
（ニ）ネットの筒を取り付けた反対側にゴムなど適性材料で洗濯物を固定する物を付ける本発明は、以上の構成よりなっている。
本発明を使用するときは、洗濯する製品をネットの上に広げ〈図３〉、ネットと一緒に筒の幅にたたむ〈図４〉。その状態で多数の穴のあいた型崩れしわ防止用洗濯補助具に巻きつける。最後に長さが調節できるゴムなどでしっかり留める。
【図面の簡単な説明】
【０００７】
【図１】本発明の正面全体図
【図２】本発明の穴あき筒の部分の図
【図３】本発明の使用法１
【図４】本発明の使用法２
【符号の説明】
１  多数の穴の開いた筒
２  平面状のネット
３  留め用のゴムなど
【図１】
2006230981.tif 000003
【図２】
2006230981.tif 000004
【図３】
2006230981.tif 000005
【図４】
2006230981.tif 000006
(57)【要約】      （修正有）【課題】立方体の組み合わせにより構成された積み木の組み合わせによる高度な思考能力を必要とするパズルを提供する。【解決手段】立方体の組み合わせにより構成された同一形状の１種類の積み木の組み合わせにより、側面に隙間のない直方体を作ることを可能にし、思考力を高める知育の目的と、パズルとしての楽しみを可能にした。【選択図】図６
2006230968.tif 000002
【特許請求の範囲】
【請求項１】
立方体を７つ張り合わせた形状の積み木ａが、同一形状の他の積み木ａと接触する際に同一の形状の面同士を接合させ、側面に隙間ができないよう上下左右回転させ組み合わせ積み合わせていくことにより、側面に隙間のない正方形の形状の底面を持つ直方体を組み立てられる、一種類の形状を持った積み木だけを使ってできる積み木を組み立てパズル。
【請求項２】
立方体を７つ張り合わせた形状の積み木ａを１７個と、立方体の積み木ｂを２個と、積み木ｂの立方体を５個張り合わせた形状の積み木ｃを１個の、計２０個の積み木を使い、互いに組み合わせ、側面に隙間のないように組み上げると、側面に隙間のない直方体ができ、同時にその直方体の内部の骨組みに十文字の形状にも隙間のない直方体ができるパズル。積み木ｂは、立方体を２つ接合した１つの積み木ｄにしても同様の形状の直方体ができる。その場合には全部の部品数は１９となる。
【請求項３】
立方体を７つ張り合わせた形状の積み木ａだけを使い、その積み木の数により、際限のない大きさの、側面に隙間のない形状の直方体を作ることができ、また積み木ｂや積み木ｃや積み木ｄを使うことによって内部の骨組みに当たる十文字の形状にも隙間のない立体ができるパズル。積み木ａを１７個と積み木ｃを１個と積み木ｄを１３個で、隙間のない直方体ができる。またこれらの積み木を使い、パズルとしてだけでなく立体を作ることができ遊ぶことができる。積み木は、１，２，４の割合の長さの立方体があれば、１、２、３（１＋２）、４，５（４＋１）、６（４＋２）、７（４＋２＋１）、８（４＋４）、９（４＋４＋１）、１０（４＋４＋２）などと１から１０まで、またそれ以上の長さの積み木を作ることができる。このため積み木ａの１＋２＋４の組み合わせによる積み木形は重要な意味を持っている。
【請求項４】
立方体を７つ張り合わせた同一形状の積み木ａを６個使い、漢字の「田」の字の形状の直方体ができるパズル。
【請求項５】
積み木ａを複数組み合わせる場合に、接着することによって、より強度な組み付けになる。これは互いに組み合わされることによってその面のみならず互いの本体を支え合うことになる。
【発明の詳細な説明】
【技術分野】
【０００１】（イ）請求項１の本発明は、７つの立方体を接合した形状の積み木ａだけを使い、互いの凹凸の一部あるいはすべてを組み合わせていくことにより、同時に側面に隙間のない直方体を作る立体形状の組み合わせの知育を目的とした積み木であり、幼児からお年寄りまで誰でも楽しく遊べるゲーム的な要素を含んだ積み木パズル具である。
（ロ）請求項１を基にした請求項２と請求項３、及び請求項４は、請求項１の同様の使い方をするものであり、側面に隙間のない立方体を作ることができるが、請求項２の決まった部品数で内部の骨組みにも隙間のないようにできる。また請求項３は、積み木ａだけを使用して、また積み木ｂやｃやｄを使って、積み木の数により無限な大きさの直方体を作ることができる。請求項４は、６個の積み木ａだけを使い、この積み木ａの形状による漢字の「田」の字の隙間のない骨組みの形状の直方体ができる。積み木ａの形状の部分的な接合の各組み合わせは複数あり、その組み合わせによる「組む」「積む」という知的な思考発達助長の要素を含んだ積み木パズルである。
（ハ）積み木ａを複数組み合わせる場合に、何らかの接着剤または金具による接着、あるいは積み木ａとそれと接合する積み木ａの接合の補助をする接合具を使うことによって、より強度な組み付けになる。これは互いに組み合わされることによってその面のみならず互いの本体を支え合うことになる。接合ａとｂとｃに見られる接合がその一例である。積み木ａが複数組み合って立体になった場合に強固な立体になる。これは積み木パズルとしての楽しみというだけでなく、建築材として同様である。縦、横、斜めからの外部の圧力を全体で受け止め合う。
（二）材料の面からこの積み木ａは、立方体を基本にして接着した形状になっているため資源の面からも資源を有効利用できるものである。
（ホ）積み木ａの形状の組み合わせを通して、子供から大人まで組み合わせと強度、また資源の有効利用を学習できるものである。
【背景技術】
【背景技術】
【０００２】積み木パズルとして従来のものはゲーム性の面白さや知育を中心としたものであり、その範囲は中にあり、そこから社会や資源に関連及び貢献する現実的な要素が少ないように思われる。
【発明が解決しようとする課題】
【０００３】立体の組み合わせによる複雑な構造を知り、その楽しみとしての積み木あるいはパズルから立体構造の知識や思考を高め、技術や資材としての社会貢献ができる。
【課題を解決するための手段】
【０００４】１種類の単一形状の積み木通しを上下左右回転させることにより側面に隙間のない直方体を作るよう組み合わせ積み重ねていく構成とした。この積み木ａの形状による組み合わせは、幼児向けの小さなパズルあるいは積み木といった知育と楽しみといった要素から、その組み合わせの技術が、木組みの重要性やその価値といった要素を含み、また資源や強度の面では、建築などに及ぶものである。立方体を基にした単純な形状の積み木ａの形状の積み木同士の組み合わせはひとつではなく、複数の積み木ａを使うことでその組み合わせや広がり、またその強度を知ることができる。パズルや積み木としての玩具では、同じ形状のため、上下左右回転させることによって思考を発達させ、また複雑な組み合わせを創意工夫し、また積み木の数に制限されることなく組み合わせによる立体創作を楽しむことができる。
【産業上の利用可能性】
【０００５】建築資材としては、同一の建築資材を生産することにより生産性を高め、資源を効率よく使用でき、また耐震性や耐久性を含めた強度を含めた建築物をつくることができる。実際の建築の際の同一資材による効率を高めることができる。
【図面の簡単な説明】
【０００１】
【図１】本発明の積み木ａの形状の説明図である。
【図２】本発明の積み木ｂの形状の説明図である。
【図３】本発明の積み木ｃの形状の説明図である。
【図４】本発明の積み木ｄの形状の説明図である。
【図５】本発明の積み木ａの組み合わせの形状の説明図である。
【図６】本発明の項目２の説明の組み立て完成図である。
【図１】
2006230968.tif 000003
【図２】
2006230968.tif 000004
【図３】
2006230968.tif 000005
【図４】
2006230968.tif 000006
【図５】
2006230968.tif 000007
【図６】
2006230968.tif 000008
(57)【要約】【課題】従来は反射するか除電する単一機能の腕輪であるが、反射発光と除電機能をあわせ持ち、かつ伸縮する腕輪を提供する。【解決手段】手首を一周する長さのゴム紐２の外周を、反射細紐３と導電性細紐４で編み上げ被覆５してなる伸縮紐体６を輪状に連結して成る反射発光と除電ができる腕輪１を構成する。【選択図】図１
2006230969.tif 000002
【特許請求の範囲】
【請求項１】
手首を一周する長さのゴム紐の外周を、反射細紐と導電性細紐で網上げ被覆してなる伸縮紐体を輪状に連結して成る構成を特徴とする反射発光と除電ができる腕輪。
【請求項２】
上記する反射細紐が、再帰性反射素材で成る請求項１記載の反射発光と除電ができる腕輪。
【発明の詳細な説明】
【技術分野】
【０００１】  本発明は、夜間においては高輝度反射発光するとともに、乾燥時における静電気の除電もできる伸縮性の腕輪に関する。
【背景技術】
【０００２】  従来、適度な弾性を有する板素材をＣ状に曲げ形成した外周面に、光反射層を備えて成る腕輪にすることで、夜間の事故防止ともに装飾性を兼ね備える腕輪の技術があった。（参考文献１参照）【０００３】  さらに、導電性繊維から成る組紐の一方端部を結び目の中に、他方の組紐を通して略輪状に形成した腕輪を形成することで、被服や身体に帯電する静電気を除去することができる除電装身具の技術があった。（参考文献２参照）
【特許文献１】登録実用新案公報第３０２９１２１号
【特許文献２】登録実用新案公報第３０４７５９２号
【発明の開示】
【発明が解決しようとする課題】
【０００４】  上記するような腕輪の技術が開示されており、それぞれ一定の目的は果たしている。しかしいずれも反射発光や静電気の帯電防止など単一の機能しか有しないので次のような不便や欠点があった。【０００５】  まず、登録実用新案公報第３０２９１２１号による技術は、適度な弾性を有する平板状基板を略Ｃ字状に曲げ形成した外周面に、合成樹脂製のシート状反射材を貼り付けた腕輪であるので、腕に装着した際は、基板が硬質の素材であるので肌への接触感が悪く、特に女性の場合は長時間の使用には不向きな材質であるなどの欠点があった。【０００６】  他方、登録実用新案公報第３０４７５９２号による腕輪は、導電性繊維から成る組紐の一方端部を結び目の中に、他方の組紐を通して略楕円状に形成した腕輪とすることで、被服や身体に帯電する静電気を除去する技術であるが、腕輪を形成する方法は、導電性繊維で成る組紐の一方端部に結び目を作り、その結び目に他方の組紐端部を通して成る腕輪を形成することで輪を大きくしたり小さくできる腕輪である。【０００７】  しかい組紐の両端部は垂れ下がることになるため、日常的な動作や作業中において、垂れ下がった組紐の両端が物に引っ掛かったりする危険要素がある腕輪であった。いずれにしても開示されるこれらに技術は単一の機能しか得られないので、反射発光と除電機能を有する腕輪が求められていたが提供されていなかった。
【課題を解決するための手段】
【０００８】  本発明は上記するような不便や欠点を解消するために、請求項１においては、手首を一周する程度の長さのゴム紐の外周を、反射細紐と導電性細紐で網上げ被覆してなる伸縮紐体を輪状に連結して成る腕輪を形成することで、夜間のヘッドライトの反射発光による交通安全と、導電性細紐による静電気の除電を行うことができる腕輪を構成する。【０００９】請求項２においては、上記する反射細紐が、再帰性反射素材を採用することにより、さらに反射輝度の高い腕輪とする。
【発明の効果】
【００１０】  本発明による腕輪は、ゴム紐の周囲を再帰性反射素材による細紐と、静電気を除電する導電性の細紐による、２種類の細紐を編み上げ被覆をした伸縮紐体を輪状に連結して成る腕輪を構成するので、手首に装着したり取り外す際は容易に行えるうえ、肌ざわりも優しい。さらに芯材となるゴム紐の周囲を編み上げ被覆している細紐の一つは、反射輝度が高い再帰性反射素材による反射細紐を採用しているので、夜間においてヘッドライトを受けると、編み上げ被覆した反射細紐部分が点のように浮き出て反射発光して極めて目立つので、交通事故防止に効果の高い腕輪として使用できる。【００１１】  さらに、もう一つの編み上げ細紐は導電性細紐を採用しているので、被服や身体に帯電している静電気を効果的にコロナ放電させるとともに、自動車やドアの金属部分に帯電している静電気は本腕輪を接触させるだけ容易に除電できるので、不快感を未然に防止することができる。また編み上げ被覆における再帰性の反射細紐や導電性細紐はカラーを採用することも可能であるため、編み上げた外観模様はカラフルにして美しく装飾性にも富む、反射発光と除電機能を複合的に有する腕輪を提供する。
【発明を実施するための最良の形態】
【００１２】  本発明の腕輪は、手首の大小に関わらず装着できる伸縮性を有し、かつ車のヘッドライトに効果的に反射発光する反射細紐と、静電気の除去ができる導電性細紐により、ゴム紐の周囲を編み上げ被覆して成る腕輪とする。
【実施例】
【００１３】  本発明による腕輪の実施例を、図１に示す一部欠損した斜視図と図２に示す伸縮紐体の一部拡大した斜視図、図３に示す伸縮紐体の拡大断面図で説明する。
本発明による腕輪１は、手首を一周する長さのゴム紐２の周囲を、再帰性反射材による反射細紐３と、導電性ある素材による導電性細紐４により編み上げ被覆５して成る伸縮紐体６を形成し、その伸縮紐体６の両端部を金属板でカシメて成る連結具７により輪状に形成して成る腕輪１を構成する。【００１４】  上記のような腕輪１を構成することで、伸縮紐体６はゴム紐２を芯材とし、かつその周囲は２種類の細紐で編み上げ被覆された伸縮自在の腕輪１であるので、手首への装着及び取り外しは簡単である。さらに編み上げ被覆している細紐は、反射輝度が高い再帰性の反射細紐３と、導電細紐４による編み上げ被覆５であるため、手首に装着した場合、夜間における歩行時に自動車のヘッドライトを受けると、反射細紐３の部分が点のように浮かび上がって鮮やかに反射発光するので、ドライバーの認識度を高める腕輪１であるとともに、もう一つの細紐は、導電細紐４であるため、身体や被服に帯電している静電気をコロナ放電することができる除電作用を得られる腕輪１となる。【００１５】  以上のような腕輪１を構成するが、反射細紐３は再帰性反射素材を用いているが、これ以外の反射材を採用しても差し支えない。さらに連結具７は、金属板をカシメている方法であるが、他のいずれの連結手段を採用してもよい。また図示するゴム紐２は断面が円形であるが平ゴム紐でもよく、特に限定されるものではない。
【産業上の利用可能性】
【００１６】  輪状に連結する伸縮紐体をさらに細くしたり大きくすることにより、髪を束ねる髪止め部材としても適用できる。
【図面の簡単な説明】
【００１７】
【図１】本発明の腕輪を示す一部欠損斜視図である。
【図２】腕輪を構成する伸縮紐体の一部を拡大した斜視図である。
【図３】腕輪を構成する伸縮紐体の拡大断面図でである。
【符号の説明】
【００１８】  １  腕輪
２  ゴム紐
３  反射細紐
４  導電性細紐
５  編み上げ被覆
６  伸縮紐体
７  連結具
【図１】
2006230969.tif 000003
【図２】
2006230969.tif 000004
【図３】
2006230969.tif 000005
(57)【要約】【課題】    繰り出し式スティック容器に収納したスティック状の保湿剤（ハンドクリーム）を提供する。【解決手段】    繰り出し式スティック容器（５）に、スティック状の保湿剤（ハンドクリーム）（４）を収納し、ハンドクリームだと明確にするために、キャップのところに手の形を施し、その裏側に、ひも通し部（２）を施し、ひも（３）を通したものを特徴とする繰り出し式スティックハンドクリーム。【選択図】    図１
2006230970.tif 000002
【特許請求の範囲】
【請求項１】
繰り出し式スティック容器に、スティック状の保湿剤（ハンドクリーム）を収納し、ハンドクリームだと明確にするために、キャップのところに手の形を施し、その裏側に、ひも通し部を施し、ひもを通したものを特徴とする繰り出し式スティックハンドクリーム。
【発明の詳細な説明】
【技術分野】
【０００１】  本発明は、繰り出し式スティック容器に収納した、スティック状の保湿剤（ハンドクリーム）に関するものである。
【背景技術】
【０００２】  従来のハンドクリームはチューブ式や蓋付き容器などに柔らかなクリームが入っており外出先でバッグなどから取り出し蓋を開け、クリームを手に取り蓋を閉め元に戻して、手に取ったクリームを全体に行き渡らせ乾くまで待っていた。
【発明の開示】
【発明が解決しようとする課題】
【０００３】  そのために次の問題点があった。
（イ）クリームが柔らかい事もあり容器から出しすぎて必要としない部分まで塗る事になり不経済でもありヌルヌルやべたつきがなかなか取れず他の手作業が出来ず乾くまで時間も掛かっていた。
（ロ）チューブ式の場合残量が少ないときは、搾り出すのも一苦労である。
（ハ）外出時、携帯用のハンドクリームでさえも意外とがさ張り蓋の開け閉めが面倒で、手軽に出し入れが出来ず、気付いた時になかなか塗る事が出来なかった。
本発明は、これらの問題点を解決するために、なされたものである。
【課題を解決するための手段】
【０００４】  繰り出し式スティック容器にスティック状の保湿剤（ハンドクリーム）を収納し、その時にハンドクリームだと明確にする為にキャップの所に、手の形を施しその裏側に、ひも通し部を施し、ひもを通してどこでもぶら下げられる用にして、肌身離さず手軽に潤いの必要な部位に塗る事が出来る。以上を特徴とする繰り出し式スティックハンドクリームである。
【発明の効果】
【０００５】  本発明は潤いの必要な部位のみの、部分使いから、全体使い迄自由自在に塗れて、とても経済的で従来のハンドクリームより内容成分がスティック状になったぶんやや硬めに出来ているので、撥水効果と荒れた部分を保護する効果がかなり高くなりスティック状ととてもコンパクトな為、洋服の小さなポケットにスッキリ収納でき手軽に出し入れが出来、ひも通し部にひもが通されているので、バッグの持ち手や首からぶら下げたりキーホルダーとして、肌身離さず気付いた時に手軽に塗る事が出来る。
【発明を実施するための最良の形態】
【０００６】  以下、本発明の実施の形態を説明する。
繰り出し式スティック容器（５）にスティック状の保湿剤（ハンドクリーム）（４）を収納してハンドクリームだと明確にする為にキャップの上部中央に手のひらの形（１１）やピースサインをした手の形（１２）やグッドサインをした手の形（１３）（図２参照）を施し、その裏にひも通し部（２）を縦の環状などにより設け、ひも（３）を通す。
本発明は以上の構成よりなっている。
本発明を使用する時は、首（１０）からひも（３）をぶら下げたり（図３参照）ズボン（９）のベルト通し（７）にひも（３）を装着してポケット（８）に収納し（図４参照）使用したい時に手の形付きキャップ（１）を取り外し潤いが必要な手（６）の部位にささっとスティック状の保湿剤（ハンドクリーム）（４）を塗る事が出来る。またひも（３）を通さずに普通に洋服のポケットやバッグなどに収納して使用する事も可能である。【０００７】  尚、本発明におけるスティック容器のひも（３）部分は、通常最も多く用いられるであろうストラップに代表されるものにのみ拘泥するわけではなく、エンドレスチェーンなど金属製のものや、革製、ビニール製、布製のものなどで、代替することも可能である。
また、素材としての保湿剤に関しては、従来の柔らかなクリーム状のものでなく、ある程度ワックスなどで、固化させた保湿剤（ハンドクリーム）であることが望ましい。
【図面の簡単な説明】
【０００８】
【図１】本発明の分解斜視図
【図２】本発明の手の形付きキャップの類型を示す斜視図
【図３】本発明の使用状態を示す斜視図
【図４】本発明の他の使用状態を示す斜視図
【符号の説明】
【０００９】  １    手の形付きキャップ
２    ひも通し部
３    ひも
４    スティック状の保湿剤（ハンドクリーム）
５    繰り出し式スティック容器
６    手
７    ベルト通し
８    ポケット
９    ズボン
１０    首
１１    手のひらの形
１２    ピースサインをした手の形
１３    グッドサインをした手の形
【図１】
2006230970.tif 000003
【図２】
2006230970.tif 000004
【図３】
2006230970.tif 000005
【図４】
2006230970.tif 000006